(57)【要約】【課題】治療精度を向上させる。【解決手段】中性子捕捉療法システム１において、薬剤濃度測定装置２０は、照射対象となる患者に係る薬剤濃度を測定し、結果を薬剤濃度情報として照射量情報計算装置３０へ送信し、照射量情報計算装置３０は、治療計画情報に含まれる中性子線の照射量に係る情報を、薬剤濃度情報に基づいて計算し、結果を照射量情報として患者情報管理装置１０へ送信する。患者情報管理装置１０は、治療計画情報および照射量情報を、照射対象を特定する情報と対応付けて治療計画情報保持部１１において保持し、中性子線照射装置４０から送信された中性子線の照射対象を特定する情報に対応付けられて治療計画情報保持部１１において保持される照射量情報を送信する。中性子線照射装置４０は、自装置からの照射対象を特定する情報に対応して患者情報管理装置１０から送信される照射量情報に基づいて、中性子線を照射する。【選択図】図１
2019130077.tif 000002
【特許請求の範囲】
【請求項１】
情報の送受信が可能なネットワークに含まれる患者情報管理装置、薬剤濃度測定装置、照射量情報計算装置、および、中性子線照射装置と、を含む中性子捕捉療法システムであって、
前記薬剤濃度測定装置は、照射対象となる患者に係る薬剤濃度を測定して、測定結果を薬剤濃度情報として前記照射量情報計算装置へ送信し、
前記照射量情報計算装置は、予め作成された前記照射対象に係る治療計画情報に含まれる中性子線の照射量に係る情報を、前記薬剤濃度測定装置からの前記薬剤濃度情報に基づいて計算し、計算結果を照射量情報として前記患者情報管理装置へ送信し、
前記患者情報管理装置は、前記治療計画情報および前記照射量情報を、当該治療計画情報に基づく中性子線の照射対象を特定する情報と対応付けて治療計画情報保持部において保持するとともに、前記中性子線照射装置から送信された中性子線の照射対象を特定する情報に対応付けられて前記治療計画情報保持部において保持される前記照射量情報を前記中性子線照射装置に対して送信し、
前記中性子線照射装置は、前記中性子線照射装置から送信した中性子線の照射対象を特定する情報に対応して前記患者情報管理装置から送信される前記照射量情報に基づいて、中性子線を照射対象に対して照射する、中性子捕捉療法システム。
【請求項２】
前記患者情報管理装置は、前記中性子線照射装置から送信された中性子線の照射対象を特定する情報に対応付けられて前記治療計画情報保持部において保持される情報に基づいて、前記中性子線照射装置に対して前記照射量情報を送信してよいかの判断を行う、請求項１記載の中性子捕捉療法システム。
【請求項３】
前記薬剤濃度測定装置は、前記患者情報管理装置を経由して前記薬剤濃度情報を前記照射量情報計算装置へ送信し、
前記患者情報管理装置は、前記薬剤濃度測定装置からの前記照射対象となる患者に係る前記薬剤濃度情報を、前記照射対象を特定する情報に対応付けられた治療計画情報と対応付けて保持する、請求項１または２に記載の中性子捕捉療法システム。
【請求項４】
前記患者情報管理装置、前記薬剤濃度測定装置、前記照射量情報計算装置、および、前記中性子線照射装置に含まれる少なくとも一の装置が他の装置との間で情報の送受信を行う際に、チェックサムを行う、請求項１または２に記載の中性子捕捉療法システム。
【請求項５】
前記患者情報管理装置、前記薬剤濃度測定装置、前記照射量情報計算装置、および、前記中性子線照射装置に含まれる一の装置が他の装置との間で情報の送受信を行う際に、前記照射対象を特定する情報を付与して送受信を行う、請求項１または２に記載の中性子捕捉療法システム。
【発明の詳細な説明】
【技術分野】
【０００１】
本発明は、中性子捕捉療法システムに関する。
【背景技術】
【０００２】
放射線を用いた治療方法として、中性子線を照射してがん細胞を死滅させる中性子捕捉療法である中性子捕捉療法（Neuron  Capture  Therapy：ＮＣＴ）が知られている。中性子捕捉療法では、がん細胞に予め取り込ませておいたホウ素等の物質に中性子線を照射し、これにより生じる重荷電粒子の飛散によってがん細胞を選択的に破壊する（例えば、特許文献１参照）。
【先行技術文献】
【特許文献】
【０００３】
【特許文献１】特許第５４１０６０８号
【発明の概要】
【発明が解決しようとする課題】
【０００４】
中性子線捕捉療法では、治療の前段階において、中性子線を患部及び患部以外の領域に照射される際の影響等を考慮しながら、中性子線の照射についての計画を行う治療計画を作成する。また、治療時には、中性子線を照射する患者における薬剤濃度に基づいて、治療計画における中性子線の照射量を調整して、患者への中性子線の照射が行われる。
【０００５】
しかしながら、従来は、薬剤濃度に基づく照射量の調整に係る計算は、中性子線照射装置とは別の装置で行われているため、計算結果を中性子線照射装置側に操作者等が入力する必要がある。そのため、入力内容が適切ではない場合には、中性子線照射装置による中性子線の照射による治療の精度が低下する可能性が考えられる。
【０００６】
本発明は上記を鑑みてなされたものであり、治療精度が向上した中性子捕捉療法システムを提供することを目的とする。
【課題を解決するための手段】
【０００７】
上記目的を達成するため、本発明の一形態に係る中性子捕捉療法システムは、情報の送受信が可能なネットワークに含まれる患者情報管理装置、薬剤濃度測定装置、照射量情報計算装置、および、中性子線照射装置と、を含む中性子捕捉療法システムであって、前記薬剤濃度測定装置は、照射対象となる患者に係る薬剤濃度を測定して、測定結果を薬剤濃度情報として前記照射量情報計算装置へ送信し、前記照射量情報計算装置は、予め作成された前記照射対象に係る治療計画情報に含まれる中性子線の照射量に係る情報を、前記薬剤濃度測定装置からの前記薬剤濃度情報に基づいて計算し、計算結果を照射量情報として前記患者情報管理装置へ送信し、前記患者情報管理装置は、前記治療計画情報および前記照射量情報を、当該治療計画情報に基づく中性子線の照射対象を特定する情報と対応付けて治療計画情報保持部において保持するとともに、前記中性子線照射装置から送信された中性子線の照射対象を特定する情報に対応付けられて前記治療計画情報保持部において保持される前記照射量情報を前記中性子線照射装置に対して送信し、前記中性子線照射装置は、前記中性子線照射装置から送信した中性子線の照射対象を特定する情報に対応して前記患者情報管理装置から送信される前記照射量情報に基づいて、中性子線を照射対象に対して照射する。
【０００８】
上記の中性子捕捉療法システムによれば、薬剤濃度測定装置で測定された照射対象となる患者に係る薬剤濃度に基づく照射量の計算が照射量情報計算装置において行われる。そして、患者情報管理装置において、治療計画情報および照射量情報を治療計画情報保持部において保持し、中性子線照射装置から送信された中性子線の照射対象を特定する情報に基づいて、対応する照射量情報が中性子線照射装置に提供された後、中性子線照射装置において中性子線の照射が行われる。このような構成とすることで、中性子線照射装置における中性子線の照射において用いられる照射量情報が、患者情報管理装置から中性子線照射装置に対して送信されるため、操作者が中性子線照射装置に対して入力する場合と比較して、中性子線照射装置における中性子線の照射による治療精度が向上する。
【０００９】
ここで、前記患者情報管理装置は、前記中性子線照射装置から送信された中性子線の照射対象を特定する情報に対応付けられて前記治療計画情報保持部において保持される情報に基づいて、前記中性子線照射装置に対して前記照射量情報を送信してよいかの判断を行う態様とすることができる。
【００１０】
このように、患者情報管理装置において、中性子線照射装置に対して照射量情報を送信してよいかの判断を行う構成とすることで、例えば、照射量情報計算装置での照射量の計算が適切に行われていない状態で照射量情報が中性子線照射装置に対して送信されることを防ぐことができる。したがって、中性子線照射装置における中性子線の照射による治療精度が向上する。
【００１１】
また、前記薬剤濃度測定装置は、前記患者情報管理装置を経由して前記薬剤濃度情報を前記照射量情報計算装置へ送信し、前記患者情報管理装置は、前記薬剤濃度測定装置からの前記照射対象となる患者に係る前記薬剤濃度情報を、前記照射対象を特定する情報に対応付けられた治療計画情報と対応付けて保持する態様とすることができる。
【００１２】
上記の構成とすることで、患者情報管理装置において治療計画情報および照射量情報とともに、薬剤濃度情報を一括して管理することができる。したがって、中性子線の照射に係る情報を一括管理することができる。
【００１３】
また、前記患者情報管理装置、前記薬剤濃度測定装置、前記照射量情報計算装置、および、前記中性子線照射装置に含まれる少なくとも一の装置が他の装置との間で情報の送受信を行う際に、チェックサムを用いて情報の検証を行う態様とすることができる。
【００１４】
上記のように、中性子捕捉療法システムに含まれる装置間での情報の送受信を行う際に、チェックサムを用いて情報の検証を行う構成とすることで、データの破損や意図しない書き換え等が含まれた状態で送受信された情報を利用することを防ぐことができる。
【００１５】
また、前記患者情報管理装置、前記薬剤濃度測定装置、前記照射量情報計算装置、および、前記中性子線照射装置に含まれる一の装置が他の装置との間で情報の送受信を行う際に、前記照射対象を特定する情報を付与して送受信を行う態様とすることができる。
【００１６】
上記のように、中性子捕捉療法システムに含まれる装置間での情報の送受信を行う際に、照射対象を特定する情報を付与して送受信を行う構成とすることで、情報の取り違い等の発生を効果的に防ぐことができる。
【発明の効果】
【００１７】
本発明によれば、治療精度が向上した中性子捕捉療法システムが提供される。
【図面の簡単な説明】
【００１８】
【図１】中性子捕捉療法システムの概略構成を説明する図である。
【図２】中性子捕捉療法システムでの情報の送受信等について説明するシーケンス図である。
【図３】中性子捕捉療法システムの変形例を示す図である。
【発明を実施するための形態】
【００１９】
以下、添付図面を参照して、本発明を実施するための形態を詳細に説明する。なお、図面の説明においては同一要素には同一符号を付し、重複する説明を省略する。
【００２０】
本実施形態に係る中性子捕捉療法システム１は、中性子捕捉療法を用いたがん治療を行うシステムであり、がん細胞に集積する物質（例えば、ホウ素（１０Ｂ））が投与された患者のホウ素が集積した位置に対して中性子線を照射してがん治療を行うものである。
【００２１】
図１に示すように、中性子捕捉療法システム１は、患者情報管理装置１０と、薬剤濃度測定装置２０と、照射量情報計算装置３０と、中性子線照射装置４０と、を含む。患者に対して実際に中性子線の照射を行うのは中性子線照射装置４０である。患者情報管理装置１０、薬剤濃度測定装置２０、および、照射量情報計算装置３０は、患者に対して照射する中性子線の照射量に係る情報を作成し、中性子線照射装置４０に対して提供する。中性子線照射装置４０は、これらの装置により作成された中性子線の照射量に係る情報に基づいて、患者に対して中性子線の照射を行う。
【００２２】
患者情報管理装置１０は、中性子捕捉療法システム１を使用して中性子線を照射する患者に係る情報を管理する機能を有する。患者情報管理装置１０は、治療計画情報保持部１１と、情報管理部１２と、を有する。
【００２３】
治療計画情報保持部１１は、患者の治療計画に係る情報（治療計画情報）を保持する。治療計画情報保持部１１で保持される治療計画情報は、治療計画装置５０において作成されて、患者情報管理装置１０へ送信される。
【００２４】
治療計画装置５０は、患者への中性子線の照射に係る治療計画（治療計画情報）を作成する装置である。具体的には、患者の画像を取得し、患者の身体の輪郭を設定した後、患者の組織（骨、臓器等）の領域を組織毎に設定する。その後、患者の体内の薬剤の濃度、各組織に対応する原子組成、中性子線に対する耐性等に基づいて、患者に対して照射する中性子線の線量を設定し、当該線量の中性子線を患者に照射した場合の線量分布を算出する。このように、治療計画装置５０では、患者に中性子線を照射した際の３次元線量分布に係る情報が治療計画情報として作成される。本実施形態では、治療計画装置５０において作成された治療計画情報が治療計画情報保持部１１に保持される。
【００２５】
患者情報管理装置１０では、患者を特定する情報または中性子線の照射に関する一連の処理を特定する情報を治療計画情報に対応付けて保持する。本実施形態では、患者を特定する情報または中性子線の照射に関する一連の処理を特定する情報として「照射ＩＤ」を用いる場合について説明する。本実施形態で用いる照射ＩＤとは、特定の患者の特定の患部に対する中性子線の特定の照射回を特定する情報であり、すなわち、中性子線の照射対象を特定する情報となる。照射ＩＤは、一の治療計画に対して個別に割り振られるＩＤとなる。したがって、照射ＩＤが患者を特定するＩＤとなる場合もある。
【００２６】
中性子捕捉療法システム１では、照射ＩＤ（または照射ＩＤに対応付けられたＩＤ）が中性子捕捉療法システム１の各装置で用いられることで、治療計画情報および治療計画情報に関連する情報が混同されることを防いでいる。なお、中性子捕捉療法システム１に含まれる全ての装置が同一の照射ＩＤを用いる必要はなく、患者情報管理装置１０と特定の装置との間では、照射ＩＤに対応付けられた照射ＩＤとは異なるＩＤを用いてもよい。ただし、この場合、患者情報管理装置１０において一の治療計画情報と当該治療計画情報に関連する情報との対応付けを適切に行う必要がある。したがって、患者情報管理装置１０では、照射ＩＤと、照射ＩＤとは異なるＩＤとの対応付けに関する情報を保持しておく必要がある。なお、照射ＩＤと、照射ＩＤとは異なるＩＤとの対応付けに関する情報は、患者情報管理装置１０以外で保持することもできる。
【００２７】
情報管理部１２は、治療計画情報保持部１１において保持される情報の管理を行う。具体的には、薬剤濃度測定装置２０、照射量情報計算装置３０、および中性子線照射装置４０との間で治療計画情報保持部１１において保持される治療計画情報に含まれる情報等の送受信を行う際に、各装置に対して送信する情報および各装置から受信する情報が適切であるかの確認を行う。情報管理部１２では、患者情報管理装置１０が各装置との間で送受信する情報に対して照射ＩＤを割り当てて、この照射ＩＤを用いて情報の管理を行う。特に、患者情報管理装置１０から中性子線照射装置４０に対して、特定の患者への中性子線の照射に係る情報を送信する場合には、照射ＩＤを利用することで誤った情報の送信を防ぐ。この点については後述する。
【００２８】
薬剤濃度測定装置２０は、中性子線の照射を行う当日の患者の薬剤濃度を測定する装置である。薬剤濃度とは、ホウ素中性子捕捉療法においては、患者のホウ素濃度であり、例えば、血中のホウ素濃度および患者の体内の各組織のホウ素濃度比から薬剤濃度の分布を求めることができる。薬剤濃度測定装置２０としては、例えば、ＩＣＰ（高周波誘導結合プラズマ）分析装置、即発ガンマ線検出装置、ＰＥＴ（陽電子放出断層撮影）装置、ＳＰＥＣＴ（単一光子放射型コンピュータ断層）撮影装置等を用いることができる。また、薬剤濃度測定装置２０は、測定結果を患者情報管理装置１０に対して送信する機能を有する。測定結果を患者情報管理装置１０に対して送信する際には、測定結果に対して患者情報管理装置１０において用いられる照射ＩＤに対応する情報が付与された状態で、薬剤濃度測定装置２０から患者情報管理装置１０に対して送信される。
【００２９】
照射量情報計算装置３０は、患者の治療当日の薬剤濃度に係る情報（薬剤濃度情報）に基づいて、治療計画情報において示される患者への中性子線の照射量に係る情報に係る計算を行う。中性子捕捉療法では、患者の治療当日の薬剤濃度情報に基づいて、患者に対する中性子線の照射時間を再計算し設定することが一般的である。照射量情報計算装置３０は、この治療当日の薬剤濃度情報に基づいて、患者に対する中性子線の照射量に係る再計算する機能を有する。照射量情報計算装置３０が照射量に係る計算を行うためには、患者の薬剤濃度情報が必要となる。したがって、照射量情報計算装置３０は、患者情報管理装置１０から当該情報を受信し、照射量の計算結果を照射量情報として患者情報管理装置１０に対して送信する。照射量情報計算装置３０は、必要に応じて患者情報管理装置１０から治療計画情報も取得し、照射量に係る計算を行ってもよい。なお、これらの情報の送受信は、送受信される情報に対して患者情報管理装置１０において用いられる照射ＩＤに対応する情報が付与された状態で行われる。
【００３０】
なお、照射量情報計算装置３０としての機能を治療計画装置５０が有し、治療計画装置５０が照射量情報計算装置３０としての処理を行う構成であってもよい。照射量に係る計算は、治療計画情報に基づいて行われる。したがって、照射量情報計算装置３０としての処理を治療計画装置５０が行う構成としてもよい。
【００３１】
中性子線照射装置４０は、治療計画情報および照射量情報に基づいて、患者に対して中性子線を照射する。中性子線照射装置４０は、制御部４１と照射部４２とを含む。制御部４１は、患者情報管理装置１０から治療計画情報に基づく患者への中性子線の照射に係る情報を受信し、当該情報に基づいて、照射部４２を制御する機能を有する。照射部４２は、制御部４１の制御により、患者に対して中性子線を照射する機能を有する。中性子線は、サイクロトロン等の加速器によって加速された荷電粒子線による荷電粒子線をターゲットに対して照射することで発生される。また、ターゲットにおいて発生した中性子線は、減速材内を通過させることで減速させた後、コリメータを通過して治療台上の患者に照射される。中性子線照射装置４０の照射部４２には、上記のように、患者に対して中性子線を照射するための各部が含まれる。なお、制御部４１は、照射部４２のうち患者への中性子線の照射量に係る制御を行う機能を有する。
【００３２】
なお、照射量情報計算装置３０で計算される中性子線の照射量に係る情報（照射量情報）としては、例えば、照射時間、電流値、クーロン数、中性子束［ｎｅｕｔｒｏｎ／ｃｍ３］、線量［Ｇｙ］等が挙げられるが、これらに限定されるものではない。照射量情報計算装置３０で計算される照射量に係る情報の種類は、治療計画情報、および／または、中性子線照射装置４０の照射部４２において制御可能なパラメータ等に対応して選択することができる。
【００３３】
中性子捕捉療法システム１に含まれる患者情報管理装置１０、薬剤濃度測定装置２０、照射量情報計算装置３０、および、中性子線照射装置４０は、有線又は無線のネットワークに含まれていて、互いに情報の送受信が可能となっている。
【００３４】
中性子捕捉療法システム１に含まれる各装置間での情報の送受信の際には、データの破損や意図しない情報の書き換え等が行われていないか検証することとしてもよい。検証方法としては、例えば、チェックサムを用いて情報の検証を行う方法が挙げられる。ただし、チェックサムを用いる方法とは異なる方法で情報の検証を行う構成としてもよい。
【００３５】
また、患者情報管理装置１０、薬剤濃度測定装置２０、照射量情報計算装置３０、および、中性子線照射装置４０は、物理的には、それぞれ、ＣＰＵ（Central  Processing  Unit）、主記憶装置であるＲＡＭ（Random  Access  Memory）及びＲＯＭ（Read  Only  Memory）、データ送受信デバイスである通信モジュール、ハードディスク、フラッシュメモリ等に例示される補助記憶装置、入力デバイスであるキーボード等に例示される入力装置、ディスプレイ等の出力装置等を含むコンピュータシステムを含んで構成される。患者情報管理装置１０、薬剤濃度測定装置２０、照射量情報計算装置３０、および、中性子線照射装置４０では、ＣＰＵ、ＲＡＭ等のハードウェア上に所定のコンピュータソフトウェアを読み込ませることにより、ＣＰＵの制御のもとで通信モジュール、入力装置、出力装置を動作させるとともに、ＲＡＭや補助記憶装置におけるデータの読み出し及び書き込みを行うことで、各装置における一連の機能が実現される。
【００３６】
次に、図２を参照しながら、中性子捕捉療法システム１による一連の処理について説明する。
【００３７】
まず、患者情報管理装置１０では、治療計画装置５０で作成された治療計画情報を取得し、治療計画情報保持部１１において保持する（Ｓ０１）。このとき、治療計画情報保持部１１では、照射ＩＤが対応付けられた治療計画情報が保持される。
【００３８】
次に、薬剤濃度測定装置２０では、治療当日に治療対象の患者に係る薬剤濃度の測定が行われる（Ｓ０２）。測定結果は薬剤濃度情報として薬剤濃度測定装置２０から患者情報管理装置１０に対して送信される（Ｓ０３）。このとき、照射ＩＤが対応付けられた薬剤濃度情報が薬剤濃度測定装置２０から患者情報管理装置１０に対して送信される。患者情報管理装置１０では、この薬剤濃度情報について、照射ＩＤを利用して治療計画情報に対応付けた状態で、治療計画情報保持部１１に保持する。
【００３９】
次に、患者情報管理装置１０の情報管理部１２は、薬剤濃度測定装置２０から受信した薬剤濃度情報を照射量情報計算装置３０に対して送信し、照射量の計算を指示する（Ｓ０４）。このとき、照射ＩＤが対応付けられた薬剤濃度情報が患者情報管理装置１０から照射量情報計算装置３０に対して送信される。なお、必要に応じて、治療計画情報保持部１１において保持される治療計画情報のうち、照射ＩＤに対応した治療計画情報が患者情報管理装置１０から照射量情報計算装置３０に対して送信されてもよい。また、照射量の計算に必要なその他の情報についても、照射量情報計算装置３０に対して適宜送信される構成とすることができる。
【００４０】
照射量情報計算装置３０では、患者情報管理装置１０から薬剤濃度情報（およびその他必要な情報）を受信すると、照射量の計算を行う（Ｓ０５）。そして、計算結果が照射量情報（計算後）として、照射量情報計算装置３０から患者情報管理装置１０に対して送信される（Ｓ０６）。このとき、照射ＩＤが対応付けられた照射量情報が照射量情報計算装置３０から患者情報管理装置１０に対して送信される。
【００４１】
患者情報管理装置１０では、情報管理部１２により、照射量情報計算装置３０から照射量情報を取得すると、治療計画情報保持部１１において保持されている治療計画情報に対応付けて照射量情報を保持する（Ｓ０７）。ここでの照射量情報の保持としては、例えば、照射量情報計算装置３０から受信した照射量情報（計算後）を治療計画情報に対応付けて保持することが挙げられる。また、照射量情報の保持として、治療計画情報に含まれる照射量情報に対応する部分を書き換える処理を行ってもよい。どちらの場合でも、治療計画情報保持部１１において、照射ＩＤに対応付けて、治療計画情報と照射量情報とが保持されることになる。照射ＩＤを利用して、治療計画情報と照射量情報とを対応付けて治療計画情報保持部１１において保持することで、中性子線照射装置４０に対して照射量情報（計算後）の提供が可能となる。
【００４２】
中性子線照射装置４０に対して照射量情報を提供する際には、まず、中性子線照射装置４０から、中性子線照射装置４０の治療台上の患者に係る照射ＩＤ（今回の中性子線の照射で利用する照射ＩＤ）が患者情報管理装置１０に対して送信される（Ｓ０８）。患者情報管理装置１０では、情報管理部１２が中性子線照射装置４０から送信された照射ＩＤに対応する照射量情報を中性子線照射装置４０に対応して送信してよいか（情報送信可否）を判断する（Ｓ０９）。情報管理部１２による情報送信可否の判断とは、例えば、照射ＩＤに対応する治療計画情報と計算後の照射量情報とが、治療計画情報保持部１１に適切に保持されているか否か、等に基づいて行うことができる。また、例えば、治療計画情報保持部１１において保持されている薬剤濃度情報等を参照し、中性子線の照射と同日に取得された薬剤濃度情報が治療計画情報保持部１１において保持されているか等に基づいた判断を行ってもよい。このように、情報管理部１２による情報送信可否の判断の基準は、適宜変更することができる。
【００４３】
情報管理部１２による情報送信可否の判断の結果、中性子線照射装置４０に対して情報を送信してもよいと判断された場合、情報管理部１２は、治療計画情報保持部１１において保持されている情報のうち、中性子線照射装置４０から送信された照射ＩＤに対応する照射量情報（計算後）を中性子線照射装置４０に対して送信する（Ｓ１０）。このとき、照射ＩＤが対応付けられた照射量情報が患者情報管理装置１０から中性子線照射装置４０に対して送信される。
【００４４】
中性子線照射装置４０では、自装置から送信した（Ｓ０８）照射ＩＤに対応する照射量情報（計算後）を受信すると、制御部４１による制御により、患者に対して照射部４２による当該情報に基づいた中性子線の照射が行われる（Ｓ１１）。
【００４５】
このように、本実施形態に係る中性子捕捉療法システム１によれば、薬剤濃度測定装置２０で測定された照射対象となる患者に係る薬剤濃度に基づく照射量の計算が、照射量情報計算装置３０において行われる。そして、患者情報管理装置１０では、治療計画情報および照射量情報を治療計画情報保持部１１において保持し、中性子線照射装置４０から送信された中性子線の照射対象を特定する情報に基づいて、対応する照射量情報が中性子線照射装置４０に提供された後、中性子線照射装置４０において中性子線の照射が行われる。このような構成とすることで、中性子線照射装置４０における中性子線の照射において用いられる照射量情報が、中性子線の照射対象を特定する情報に基づいて患者情報管理装置１０から中性子線照射装置４０に対して送信されるため、操作者が中性子線照射装置４０に対して入力する場合と比較して、中性子線照射装置４０における中性子線の照射による治療精度が向上する。
【００４６】
患者の薬剤濃度に基づく照射量の計算は、従来から行われているが、従来の中性子捕捉療法システムでは、照射量の計算結果を中性子線照射装置に対して操作者が手入力していた。そのため、入力間違い等が生じた場合には、中性子線照射装置での照射対象に対する中性子線の照射量が変化し、治療精度が低下する可能性があった。これに対して、本実施形態に係る中性子捕捉療法システム１では、中性子線照射装置４０における中性子線の照射において用いられる照射量情報が、中性子線の照射対象を特定する情報に基づいて患者情報管理装置１０から中性子線照射装置４０に対して送信されることから、操作者による入力間違いを防ぐことができ、治療精度が向上する。また、患者情報管理装置１０と中性子線照射装置４０との間で、中性子線の照射対象を特定する情報を利用して照射量情報の送受信が行われるため、データの取り違い等も適切に防ぐことができる。
【００４７】
また、中性子捕捉療法システム１では、患者情報管理装置１０の情報管理部１２において、中性子線照射装置４０に対して照射量情報を送信してよいかの判断を行う構成とされている。このような構成とすることで、例えば、照射量情報計算装置３０での照射量の計算が適切に行われていない状態で照射量情報が中性子線照射装置４０に対して送信されるというような、適切に処理が行われていない情報が中性子線照射装置４０に対して送信されて、当該情報に基づいて照射対象に対して中性子線が照射されることを防ぐことができる。したがって、中性子線照射装置４０における中性子線の照射による治療精度が向上する。
【００４８】
また、中性子捕捉療法システム１では、薬剤濃度測定装置２０は、患者情報管理装置１０を経由して薬剤濃度情報を照射量情報計算装置３０へ送信し、患者情報管理装置１０は、薬剤濃度測定装置２０からの照射対象となる患者に係る薬剤濃度情報を、照射対象を特定する情報に対応付けられた治療計画情報と対応付けて治療計画情報保持部１１において保持する。このような構成とすることで、患者情報管理装置１０において、治療計画情報および照射量情報とともに、薬剤濃度情報を一括して管理することができる。したがって、中性子線の照射に係る情報を一括管理することができるため、情報の管理をより適切に行うことができる。
【００４９】
また、中性子捕捉療法システム１に含まれる一の装置と他の装置との間での情報の送受信を行う際に、チェックサムを用いて情報の検証を行う構成とした場合、データの破損や意図しない書き換え等が含まれた状態で送受信された情報を利用することを防ぐことができる。
【００５０】
また、中性子捕捉療法システム１に含まれる一の装置と他の装置との間での情報の送受信を行う際に、照射対象を特定する情報を付与して送受信を行う構成とした場合、情報の取り違い等の発生を効果的に防ぐことができる。なお、照射対象を特定する情報を付与せずに情報の送受信を行う場合であっても、各装置間では同種の情報を複数送受信することが想定されるため、これらを区別可能とするとともに、特定の治療計画情報への対応付けを容易に行うことができる構成とする必要がある。
【００５１】
以上、本発明の実施形態について説明したが、本発明は上述の実施形態に限定されるものではない。
【００５２】
例えば、本実施形態の中性子捕捉療法システム１に含まれる各装置はそれぞれ１台の装置により構成されていてもよいし、複数台の装置を組み合わせて構成されていてもよい。また、複数の装置に係る機能を１台の装置に集約した構成としてもよい。
【００５３】
図３は、変形例に係る中性子捕捉療法システム２の構成を説明する図である。中性子捕捉療法システム２では、患者情報管理装置としての機能の一部を照射量情報計算装置３０に持たせている。また、治療計画情報保持部１１は、照射量情報計算装置３０とは別の装置に設けられているとする。すなわち、照射量情報計算装置３０と治療計画情報保持部１１とが患者情報管理装置６０として機能する。このような中性子捕捉療法システム２では、薬剤濃度測定装置２０による測定結果は、照射量情報計算装置３０に対して送られる。照射量情報計算装置３０では、治療計画情報保持部１１を参照して、照射量に係る計算を行うとともに、計算結果を照射量情報として治療計画情報保持部１１に保持する。そして、中性子線照射装置４０から照射量情報計算装置３０に対して中性子線の照射対象を特定する情報が送信された場合には、照射量情報計算装置３０は、治療計画情報保持部１１に保持される情報から照射対象を特定する情報に対応する照射量情報を取得し、中性子線照射装置４０に対して送信する。このように、中性子捕捉療法システム２のように薬剤濃度測定装置２０、照射量情報計算装置３０、中性子線照射装置４０とは別に、患者情報管理装置を有していない場合であっても、これらの装置等が患者情報管理装置としての機能を有することで、中性子捕捉療法システム１と同様の処理を行うことができる。
【００５４】
また、上記実施形態では、患者情報管理装置１０の情報管理部１２が、中性子線照射装置４０から送信された照射ＩＤに対応する照射量情報を中性子線照射装置４０に対応して送信してよいか（情報送信可否）を判断する（Ｓ０９）場合について説明した。しかしながら、情報送信可否の判断（Ｓ０９）を患者情報管理装置１０で行うことに代えて（またはこれに加えて）、中性子線照射装置４０の制御部４１において、患者情報管理装置１０から送信された照射量情報の正当性を検証する構成としてもよい。検証の方法としては公知の方法を用いることができる。検証の結果、患者情報管理装置１０から送信された照射量情報が不適切な情報であることが確認された場合には、制御部４１により、照射量情報に基づく中性子線の照射を中止する。このように、中性子線照射装置４０側で照射量情報の正当性を検証する構成としてもよい。
【符号の説明】
【００５５】
１，２…中性子捕捉療法システム、１０，６０…患者情報管理装置、１１…治療計画情報保持部、１２…情報管理部、２０…薬剤濃度測定装置、３０…照射量情報計算装置、４０…中性子線照射装置、４１…制御部、４２…照射部。
【図１】
2019130077.tif 000003
【図２】
2019130077.tif 000004
【図３】
2019130077.tif 000005